(57)【要約】【課題】自動バレーパーキングの自動出庫処理において、自動バレーパーキングの自動駐車処理において、駐車枠を認識することができない場合であっても正確な駐車制御を行うことが可能な車両制御装置、車両管理装置、車両制御方法、およびプログラムを提供すること。【解決手段】車両制御装置は、車両に搭載され、前記車両が自動駐車する第１駐車枠に隣接する第２駐車枠に停止している他車両から、前記第２駐車枠の枠線の位置情報を取得する取得部と、前記取得部により取得された前記第２駐車枠の枠線の位置情報に基づいて、前記第１駐車枠の枠線の位置を算出する算出部と、を備えるものである。【選択図】図２
2020185855.tif 000002
【特許請求の範囲】
【請求項１】
車両に搭載される車両制御装置であって、
前記車両が自動駐車する第１駐車枠に隣接する第２駐車枠に停止している他車両から、前記第２駐車枠の枠線の位置情報を取得する取得部と、
前記取得部により取得された前記第２駐車枠の枠線の位置情報に基づいて、前記第１駐車枠の枠線の位置を算出する算出部と、
を備える車両制御装置。
【請求項２】
前記第１駐車枠の枠線を認識する第１認識部と、
前記第１認識部により前記第１駐車枠の枠線が認識されない場合、前記他車両に対して、前記第２駐車枠の枠線の位置情報を要求するリクエストを送信する第１要求部と、
をさらに備える、
請求項１に記載の車両制御装置。
【請求項３】
前記取得部は、前記リクエストに基づいて起動された前記他車両のセンサにより測定された前記第２駐車枠の枠線の位置情報を取得する、
請求項２に記載の車両制御装置。
【請求項４】
前記他車両の位置を認識する第２認識部をさらに備え、
前記取得部は、前記他車両から、前記他車両と前記第２駐車枠の枠線との間の距離を示す情報を取得し、
前記算出部は、前記第２認識部により認識された前記他車両の位置と、前記取得部により取得された前記他車両と前記第２駐車枠の枠線との間の距離を示す情報とに基づいて、前記第１駐車枠の枠線の位置を算出する、
請求項１から３のいずれか一項に記載の車両制御装置。
【請求項５】
前記算出部は、前記車両の位置と前記第２認識部により認識された前記他車両の位置との間の距離から、前記取得部により取得された前記他車両と前記第２駐車枠の枠線との間の距離を減算することにより、前記第１駐車枠の枠線の位置を算出する、
請求項４に記載の車両制御装置。
【請求項６】
前記取得部は、前記他車両から、前記第２駐車枠の枠線の位置情報に基づいて算出された前記第１駐車枠の枠線の位置情報を取得する、
請求項１から５のいずれか一項に記載の車両制御装置。
【請求項７】
前記他車両に対して、前記他車両の下部を照らすライトの動作を要求するリクエストを送信する第２要求部をさらに備える、
請求項１から６のいずれか一項に記載の車両制御装置。
【請求項８】
前記第１駐車枠と、前記第２駐車枠との間に、少なくとも１つの他の駐車枠が存在する、
請求項１から７のいずれか一項に記載の車両制御装置。
【請求項９】
前記算出部により算出された前記第１駐車枠の枠線の位置に基づいて、前記車両の前記第１駐車枠への自動駐車を制御する制御部をさらに備える、
請求項１から８のいずれか一項に記載の車両制御装置。
【請求項１０】
前記算出部により算出された前記第１駐車枠の枠線の位置に基づいて、前記車両の前記第１駐車枠への自動駐車を制御する制御部をさらに備え、
前記制御部は、前記第１認識部により前記第１駐車枠の枠線が認識されず、且つ、前記取得部により前記他車両から前記第２駐車枠の枠線の位置情報が取得されない場合、前記車両が自動駐車する駐車枠を変更する、
請求項２または３に記載の車両制御装置。
【請求項１１】
前記算出部により算出された前記第１駐車枠の枠線の位置に基づいて、前記車両の前記第１駐車枠への自動駐車を制御する制御部をさらに備え、
前記制御部は、前記第１認識部により前記第１駐車枠の枠線が認識されず、且つ、前記取得部により前記他車両から前記第２駐車枠の枠線の位置情報が取得されない場合、前記車両の車幅方向の中央位置が、前記第１駐車枠の幅方向の中央位置と重なるように自動駐車を制御する、
請求項２または３に記載の車両制御装置。
【請求項１２】
請求項１から１１のいずれか一項に記載の車両制御装置により送信された前記第２駐車枠の枠線の位置情報に基づいて、前記第１駐車枠に誘導する車両を選別する、
車両管理装置。
【請求項１３】
車両に搭載される車両制御装置のコンピュータが、
前記車両が自動駐車する第１駐車枠に隣接する第２駐車枠に停止している他車両から、前記第２駐車枠の枠線の位置情報を取得し、
取得された前記第２駐車枠の枠線の位置情報に基づいて、前記第１駐車枠の枠線の位置を算出する、
車両制御方法。
【請求項１４】
車両に搭載される車両制御装置のコンピュータに、
前記車両が自動駐車する第１駐車枠に隣接する第２駐車枠に停止している他車両から、前記第２駐車枠の枠線の位置情報を取得させ、
取得された前記第２駐車枠の枠線の位置情報に基づいて、前記第１駐車枠の枠線の位置を算出させる、
プログラム。
【発明の詳細な説明】
【技術分野】
【０００１】
本発明は、車両制御装置、車両管理装置、車両制御方法、およびプログラムに関する。
【背景技術】
【０００２】
近年、車両を自動的に制御することについて研究が進められている。この技術を利用した自動バレーパーキングにおいて、自動駐車を行う車両は、駐車場管理装置から駐車枠の空き状況に関する情報を受信し、この情報に基づいて駐車枠への移動を行う。駐車枠付近に到着した車両は、車両に搭載されたセンサを用いて駐車枠の枠線（例えば、白線）を認識し、認識された枠線内に駐車する。
【０００３】
また、車両の運転支援を目的として、自車両の周囲画像を撮影し、撮像された周囲画像に基づいて、自車両の周囲の交通状況および異常事象の内の少なくとも一方を含む走行関連情報を検出して、他車両に無線で送信する車車間通信システムが知られている（例えば、特許文献１参照）。
【先行技術文献】
【特許文献】
【０００４】
【特許文献１】特開２００１−２８３３８１号公報
【発明の概要】
【発明が解決しようとする課題】
【０００５】
しかしながら、上記のような自動バレーパーキングにおいては、時間帯（例えば、日没後）や悪天候などの影響により駐車枠付近の明るさが十分ではない場合、車両に搭載されたセンサが駐車枠の枠線を認識できない場合があった。また、逆光などの影響によりセンサが駐車枠の枠線を認識できない場合があった。
【０００６】
本発明は、このような事情を考慮してなされたものであり、自動バレーパーキングの自動駐車処理において、駐車枠を認識することができない場合であっても正確な駐車制御を行うことが可能な車両制御装置、車両管理装置、車両制御方法、およびプログラムを提供することを目的の一つとする。
【課題を解決するための手段】
【０００７】
この発明に係る車両制御装置、車両管理装置、車両制御方法、およびプログラムは、以下の構成を採用した。
（１）：この発明の一態様に係る車両制御装置は、車両に搭載される車両制御装置であって、前記車両が自動駐車する第１駐車枠に隣接する第２駐車枠に停止している他車両から、前記第２駐車枠の枠線の位置情報を取得する取得部と、前記取得部により取得された前記第２駐車枠の枠線の位置情報に基づいて、前記第１駐車枠の枠線の位置を算出する算出部とを備えるものである。
【０００８】
（２）：上記（１）の態様において、前記第１駐車枠の枠線を認識する第１認識部と、前記第１認識部により前記第１駐車枠の枠線が認識されない場合、前記他車両に対して、前記第２駐車枠の枠線の位置情報を要求するリクエストを送信する第１要求部と、をさらに備えるものである。
【０００９】
（３）：上記（２）の態様において、前記取得部は、前記リクエストに基づいて起動された前記他車両のセンサにより測定された前記第２駐車枠の枠線の位置情報を取得するものである。
【００１０】
（４）：上記（１）から（３）のいずれかの態様において、前記他車両の位置を認識する第２認識部をさらに備え、前記取得部は、前記他車両から、前記他車両と前記第２駐車枠の枠線との間の距離を示す情報を取得し、前記算出部は、前記第２認識部により認識された前記他車両の位置と、前記取得部により取得された前記他車両と前記第２駐車枠の枠線との間の距離を示す情報とに基づいて、前記第１駐車枠の枠線の位置を算出するものである。
【００１１】
（５）：上記（４）の態様において、前記算出部は、前記車両の位置と前記第２認識部により認識された前記他車両の位置との間の距離から、前記取得部により取得された前記他車両と前記第２駐車枠の枠線との間の距離を減算することにより、前記第１駐車枠の枠線の位置を算出するものである。
【００１２】
（６）：上記（１）から（５）のいずれかの態様において、前記取得部は、前記他車両から、前記第２駐車枠の枠線の位置情報に基づいて算出された前記第１駐車枠の枠線の位置情報を取得するものである。
【００１３】
（７）：上記（１）から（６）のいずれかの態様において、前記他車両に対して、前記他車両の下部を照らすライトの動作を要求するリクエストを送信する第２要求部をさらに備えるものである。
【００１４】
（８）：上記（１）から（７）のいずれかの態様において、前記第１駐車枠と、前記第２駐車枠との間に、少なくとも１つの他の駐車枠が存在するものである。
【００１５】
（９）：上記（１）から（８）のいずれかの態様において、前記算出部により算出された前記第１駐車枠の枠線の位置に基づいて、前記車両の前記第１駐車枠への自動駐車を制御する制御部をさらに備えるものである。
【００１６】
（１０）：上記（２）または（３）の態様において、前記算出部により算出された前記第１駐車枠の枠線の位置に基づいて、前記車両の前記第１駐車枠への自動駐車を制御する制御部をさらに備え、前記制御部は、前記第１認識部により前記第１駐車枠の枠線が認識されず、且つ、前記取得部により前記他車両から前記第２駐車枠の枠線の位置情報が取得されない場合、前記車両が自動駐車する駐車枠を変更するものである。
【００１７】
（１１）：上記（２）または（３）の態様において、前記算出部により算出された前記第１駐車枠の枠線の位置に基づいて、前記車両の前記第１駐車枠への自動駐車を制御する制御部をさらに備え、前記制御部は、前記第１認識部により前記第１駐車枠の枠線が認識されず、且つ、前記取得部により前記他車両から前記第２駐車枠の枠線の位置情報が取得されない場合、前記車両の車幅方向の中央位置が、前記第１駐車枠の幅方向の中央位置と重なるように自動駐車を制御するものである。
【００１８】
（１２）：この発明の他の態様に係る車両管理装置は、上記の（１）から（１１）のいずれかの態様の車両制御装置により送信された前記第２駐車枠の枠線の位置情報に基づいて、前記第１駐車枠に誘導する車両を選別するものである。
【００１９】
（１３）：この発明の他の態様に係る車両制御方法は、車両に搭載される車両制御装置のコンピュータが、前記車両が自動駐車する第１駐車枠に隣接する第２駐車枠に停止している他車両から、前記第２駐車枠の枠線の位置情報を取得し、取得された前記第２駐車枠の枠線の位置情報に基づいて、前記第１駐車枠の枠線の位置を算出するものである。
【００２０】
（１４）：この発明の他の態様に係るプログラムは、車両に搭載される車両制御装置のコンピュータに、前記車両が自動駐車する第１駐車枠に隣接する第２駐車枠に停止している他車両から、前記第２駐車枠の枠線の位置情報を取得させ、取得された前記第２駐車枠の枠線の位置情報に基づいて、前記第１駐車枠の枠線の位置を算出させるものである。
【発明の効果】
【００２１】
（１）から（７）、（９）から（１１）、（１３）、（１４）によれば、自動バレーパーキングの自動駐車処理において、駐車枠を認識することができない場合であっても正確な駐車制御を行うことが可能である。
【００２２】
（８）によれば、駐車枠付近の明るさを高めることでき、これにより、駐車枠の認識を可能にすることができる。
【００２３】
（１２）によれば、車両制御装置側で駐車枠の駐車可能空間を把握し、自動駐車における車両の誘導制御を最適化することができる。
【図面の簡単な説明】
【００２４】
【図１】実施形態に係る車両制御装置を利用した車両システム１の構成図である。
【図２】実施形態に係る第１制御部１２０および第２制御部１６０の機能構成図である。
【図３】実施形態に係る自走駐車イベントが実行される場面を模式的に示す図である。
【図４】実施形態に係る駐車場管理装置４００の構成の一例を示す図である。
【図５】実施形態に係る自動運転制御装置１００の自走駐車イベントの入庫時の動作フローの一例を示す図である。
【図６】実施形態に係る自車両Ｍが駐車スペースＰＳまでの移動を完了した様子を示す図である。
【図７】実施形態に係る枠線情報を説明する図である。
【図８】実施形態に係る枠線情報ＭＤの一例を示す図である。
【図９】実施形態に係る算出部１４８による駐車枠Ｌの枠線の位置の算出処理の一例を説明する図である。
【図１０】実施形態に係る算出部１４８による駐車枠Ｌの枠線の位置の算出処理の他の例を説明する図である。
【図１１】実施形態に係る算出部１４８による駐車枠Ｌの枠線の位置の算出処理の他の例を説明する図である。
【図１２】実施形態に係る他車両の下部を照らす足元ライトが動作された様子を示す図である。
【図１３】実施形態に係る自車両Ｍと他車両との位置関係の他の例を説明する図である。
【図１４】実施形態の自動運転制御装置１００のハードウェア構成の一例を示す図である。
【発明を実施するための形態】
【００２５】
以下、図面を参照し、本発明の車両制御装置、車両管理装置、車両制御方法、およびプログラムの実施形態について説明する。
【００２６】
＜実施形態＞
［全体構成］
図１は、実施形態に係る車両制御装置を利用した車両システム１の構成図である。車両システム１が搭載される車両は、例えば、二輪や三輪、四輪等の車両であり、その駆動源は、ディーゼルエンジンやガソリンエンジンなどの内燃機関、電動機、或いはこれらの組み合わせである。電動機は、内燃機関に連結された発電機による発電電力、或いは二次電池や燃料電池の放電電力を使用して動作する。
【００２７】
車両システム１は、例えば、カメラ１０と、レーダ装置１２と、ファインダ１４と、物体認識装置１６と、通信装置２０と、ＨＭＩ（Human Machine Interface）３０と、車両センサ４０と、ナビゲーション装置５０と、ＭＰＵ（Map Positioning Unit）６０と、運転操作子８０と、自動運転制御装置１００（「車両制御装置」の一例）と、走行駆動力出力装置２００と、ブレーキ装置２１０と、ステアリング装置２２０とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２８】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される車両の任意の箇所に取り付けられる。前方を撮像する場合、カメラ１０は、フロントウインドシールド上部やルームミラー裏面等に取り付けられる。カメラ１０は、例えば、周期的に繰り返し自車両Ｍの周辺を撮像する。カメラ１０は、ステレオカメラであってもよい。
【００２９】
レーダ装置１２は、自車両Ｍの周辺にミリ波などの電波を放射すると共に、物体によって反射された電波（反射波）を検出して少なくとも物体の位置（距離および方位）を検出する。レーダ装置１２は、自車両Ｍの任意の箇所に取り付けられる。レーダ装置１２は、ＦＭ−ＣＷ（Frequency Modulated Continuous Wave）方式によって物体の位置および速度を検出してもよい。
【００３０】
ファインダ１４は、ＬＩＤＡＲ（Light Detection and Ranging）である。ファインダ１４は、自車両Ｍの周辺に光を照射し、散乱光を測定する。ファインダ１４は、発光から受光までの時間に基づいて、対象までの距離を検出する。照射される光は、例えば、パルス状のレーザー光である。ファインダ１４は、自車両Ｍの任意の箇所に取り付けられる。
【００３１】
物体認識装置１６は、カメラ１０、レーダ装置１２、およびファインダ１４のうち一部または全部による検出結果に対してセンサフュージョン処理を行って、物体の位置、種類、速度などを認識する。物体認識装置１６は、認識結果を自動運転制御装置１００に出力する。物体認識装置１６は、カメラ１０、レーダ装置１２、およびファインダ１４の検出結果をそのまま自動運転制御装置１００に出力してよい。車両システム１から物体認識装置１６が省略されてもよい。
【００３２】
通信装置２０は、例えば、セルラー網やＷｉ−Ｆｉ網、Ｂｌｕｅｔｏｏｔｈ（登録商標）、ＤＳＲＣ（Dedicated Short Range Communication）などを利用して、自車両Ｍの周辺に存在する他車両または駐車場管理装置、或いは各種サーバ装置と通信する。駐車場管理装置の機能の詳細については後述する。
【００３３】
ＨＭＩ３０は、自車両Ｍの乗員に対して各種情報を提示すると共に、乗員による入力操作を受け付ける。ＨＭＩ３０は、各種表示装置、スピーカ、ブザー、タッチパネル、スイッチ、キーなどを含む。
【００３４】
車両センサ４０は、自車両Ｍの速度を検出する車速センサ、加速度を検出する加速度センサ、鉛直軸回りの角速度を検出するヨーレートセンサ、自車両Ｍの向きを検出する方位センサ等を含む。
【００３５】
ナビゲーション装置５０は、例えば、ＧＮＳＳ（Global Navigation Satellite System）受信機５１と、ナビＨＭＩ５２と、経路決定部５３とを備える。ナビゲーション装置５０は、ＨＤＤ（Hard Disk Drive）やフラッシュメモリなどの記憶装置に第１地図情報５４を保持している。ＧＮＳＳ受信機５１は、ＧＮＳＳ衛星から受信した信号に基づいて、自車両Ｍの位置を特定する。自車両Ｍの位置は、車両センサ４０の出力を利用したＩＮＳ（Inertial Navigation System）によって特定または補完されてもよい。ナビＨＭＩ５２は、表示装置、スピーカ、タッチパネル、キーなどを含む。ナビＨＭＩ５２は、前述したＨＭＩ３０と一部または全部が共通化されてもよい。経路決定部５３は、例えば、ＧＮＳＳ受信機５１により特定された自車両Ｍの位置（或いは入力された任意の位置）から、ナビＨＭＩ５２を用いて乗員により入力された目的地までの経路（以下、地図上経路）を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報などを含んでもよい。地図上経路は、ＭＰＵ６０に出力される。ナビゲーション装置５０は、地図上経路に基づいて、ナビＨＭＩ５２を用いた経路案内を行ってもよい。ナビゲーション装置５０は、例えば、乗員の保有するスマートフォンやタブレット端末等の端末装置の機能によって実現されてもよい。ナビゲーション装置５０は、通信装置２０を介してナビゲーションサーバに現在位置と目的地を送信し、ナビゲーションサーバから地図上経路と同等の経路を取得してもよい。
【００３６】
ＭＰＵ６０は、例えば、推奨車線決定部６１を含み、ＨＤＤやフラッシュメモリなどの記憶装置に第２地図情報６２を保持している。推奨車線決定部６１は、ナビゲーション装置５０から提供された地図上経路を複数のブロックに分割し（例えば、車両進行方向に関して１００［ｍ］毎に分割し）、第２地図情報６２を参照してブロックごとに推奨車線を決定する。推奨車線決定部６１は、左から何番目の車線を走行するといった決定を行う。推奨車線決定部６１は、地図上経路に分岐箇所が存在する場合、自車両Ｍが、分岐先に進行するための合理的な経路を走行できるように、推奨車線を決定する。
【００３７】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報などが含まれてよい。第２地図情報６２は、通信装置２０が他装置と通信することにより、随時、アップデートされてよい。
【００３８】
運転操作子８０は、例えば、アクセルペダル、ブレーキペダル、シフトレバー、ステアリングホイール、異形ステア、ジョイスティックその他の操作子を含む。運転操作子８０には、操作量あるいは操作の有無を検出するセンサが取り付けられており、その検出結果は、自動運転制御装置１００、もしくは、走行駆動力出力装置２００、ブレーキ装置２１０、およびステアリング装置２２０のうち一部または全部に出力される。
【００３９】
自動運転制御装置１００は、例えば、第１制御部１２０と、第２制御部１６０とを備える。第１制御部１２０、および第２制御部１６０は、それぞれ、例えば、ＣＰＵ（Central Processing Unit）などのハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予め自動運転制御装置１００のＨＤＤやフラッシュメモリなどの記憶装置（非一過性の記憶媒体を備える記憶装置）に格納されていてもよいし、ＤＶＤやＣＤ−ＲＯＭなどの着脱可能な記憶媒体に格納されており、記憶媒体（非一過性の記憶媒体）がドライブ装置に装着されることで自動運転制御装置１００のＨＤＤやフラッシュメモリにインストールされてもよい。
【００４０】
図２は、実施形態に係る第１制御部１２０および第２制御部１６０の機能構成図である。第１制御部１２０は、例えば、認識部１３０と、行動計画生成部１４０とを備える。第１制御部１２０は、例えば、ＡＩ（Artificial Intelligence；人工知能）による機能と、予め与えられたモデルによる機能とを並行して実現する。例えば、「交差点を認識する」機能は、ディープラーニング等による交差点の認識と、予め与えられた条件（パターンマッチング可能な信号、道路標示などがある）に基づく認識とが並行して実行され、双方に対してスコア付けして総合的に評価することで実現されてよい。これによって、自動運転の信頼性が担保される。
【００４１】
認識部１３０は、カメラ１０、レーダ装置１２、およびファインダ１４から物体認識装置１６を介して入力された情報に基づいて、自車両Ｍの周辺にある物体の位置、および速度、加速度等の状態を認識する。物体の位置は、例えば、自車両Ｍの代表点（重心や駆動軸中心など）を原点とした絶対座標上の位置として認識され、制御に使用される。物体の位置は、その物体の重心やコーナー等の代表点で表されてもよいし、表現された領域で表されてもよい。物体の「状態」とは、物体の加速度やジャーク、あるいは「行動状態」（例えば車線変更をしている、またはしようとしているか否か）を含んでもよい。
【００４２】
また、認識部１３０は、例えば、自車両Ｍが走行している車線（走行車線）を認識する。例えば、認識部１３０は、第２地図情報６２から得られる道路区画線のパターン（例えば実線と破線の配列）と、カメラ１０によって撮像された画像から認識される自車両Ｍの周辺の道路区画線のパターンとを比較することで、走行車線を認識する。なお、認識部１３０は、道路区画線に限らず、道路区画線や路肩、縁石、中央分離帯、ガードレールなどを含む走路境界（道路境界）を認識することで、走行車線を認識してもよい。この認識において、ナビゲーション装置５０から取得される自車両Ｍの位置やＩＮＳによる処理結果が加味されてもよい。また、認識部１３０は、一時停止線、障害物、赤信号、料金所、その他の道路事象を認識する。
【００４３】
認識部１３０は、走行車線を認識する際に、走行車線に対する自車両Ｍの位置や姿勢を認識する。認識部１３０は、例えば、自車両Ｍの基準点の車線中央からの乖離、および自車両Ｍの進行方向の車線中央を連ねた線に対してなす角度を、走行車線に対する自車両Ｍの相対位置および姿勢として認識してもよい。これに代えて、認識部１３０は、走行車線のいずれかの側端部（道路区画線または道路境界）に対する自車両Ｍの基準点の位置などを、走行車線に対する自車両Ｍの相対位置として認識してもよい。
【００４４】
認識部１３０は、後述する自走駐車イベントにおいて起動する駐車スペース認識部１３２（第１認識部）および周辺車両認識部１３４（第２認識部）を備える。駐車スペース認識部１３２および周辺車両認識部１３４の機能の詳細については後述する。
【００４５】
行動計画生成部１４０は、原則的には推奨車線決定部６１により決定された推奨車線を走行し、更に、自車両Ｍの周辺状況に対応できるように、自車両Ｍが自動的に（運転者の操作に依らずに）将来走行する目標軌道を生成する。目標軌道は、例えば、速度要素を含んでいる。例えば、目標軌道は、自車両Ｍの到達すべき地点（軌道点）を順に並べたものとして表現される。軌道点は、道なり距離で所定の走行距離（例えば数［ｍ］程度）ごとの自車両Ｍの到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における自車両Ｍの到達すべき位置であってもよい。この場合、目標速度や目標加速度の情報は軌道点の間隔で表現される。
【００４６】
行動計画生成部１４０は、目標軌道を生成するにあたり、自動運転のイベントを設定してよい。自動運転のイベントには、定速走行イベント、低速追従走行イベント、車線変更イベント、分岐イベント、合流イベント、テイクオーバーイベント、バレーパーキングなどにおいて自走して駐車する自走駐車イベント、バレーパーキングなどにおいて自走して駐車場から出庫して所定の乗車位置に自走する自走迎車イベントなどがある。行動計画生成部１４０は、起動させたイベントに応じた目標軌道を生成する。行動計画生成部１４０は、例えば、自走駐車イベントを実行する場合に起動する自走駐車制御部１４２と、要求部１４４（第１要求部）と、取得部１４６と、算出部１４８とを備える。自走駐車制御部１４２、要求部１４４、取得部１４６、および算出部１４８の機能の詳細については後述する。
【００４７】
第２制御部１６０は、行動計画生成部１４０によって生成された目標軌道を、予定の時刻通りに自車両Ｍが通過するように、走行駆動力出力装置２００、ブレーキ装置２１０、およびステアリング装置２２０を制御する。
【００４８】
第２制御部１６０は、例えば、取得部１６２と、速度制御部１６４と、操舵制御部１６６とを備える。取得部１６２は、行動計画生成部１４０により生成された目標軌道（軌道点）の情報を取得し、メモリ（不図示）に記憶させる。速度制御部１６４は、メモリに記憶された目標軌道に付随する速度要素に基づいて、走行駆動力出力装置２００またはブレーキ装置２１０を制御する。操舵制御部１６６は、メモリに記憶された目標軌道の曲がり具合に応じて、ステアリング装置２２０を制御する。速度制御部１６４および操舵制御部１６６の処理は、例えば、フィードフォワード制御とフィードバック制御との組み合わせにより実現される。一例として、操舵制御部１６６は、自車両Ｍの前方の道路の曲率に応じたフィードフォワード制御と、目標軌道からの乖離に基づくフィードバック制御とを組み合わせて実行する。
【００４９】
走行駆動力出力装置２００は、車両が走行するための走行駆動力（トルク）を駆動輪に出力する。走行駆動力出力装置２００は、例えば、内燃機関、電動機、および変速機などの組み合わせと、これらを制御するＥＣＵ（Electronic Control Unit）とを備える。ＥＣＵは、第２制御部１６０から入力される情報、或いは運転操作子８０から入力される情報に従って、上記の構成を制御する。
【００５０】
ブレーキ装置２１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、第２制御部１６０から入力される情報、或いは運転操作子８０から入力される情報に従って電動モータを制御し、制動操作に応じたブレーキトルクが各車輪に出力されるようにする。ブレーキ装置２１０は、運転操作子８０に含まれるブレーキペダルの操作によって発生させた油圧を、マスターシリンダを介してシリンダに伝達する機構をバックアップとして備えてよい。なお、ブレーキ装置２１０は、上記説明した構成に限らず、第２制御部１６０から入力される情報に従ってアクチュエータを制御して、マスターシリンダの油圧をシリンダに伝達する電子制御式油圧ブレーキ装置であってもよい。
【００５１】
ステアリング装置２２０は、例えば、ステアリングＥＣＵと、電動モータとを備える。電動モータは、例えば、ラックアンドピニオン機構に力を作用させて転舵輪の向きを変更する。ステアリングＥＣＵは、第２制御部１６０から入力される情報、或いは運転操作子８０から入力される情報に従って、電動モータを駆動し、転舵輪の向きを変更させる。
【００５２】
［自走駐車イベント−入庫時］
自走駐車制御部１４２は、例えば、通信装置２０によって駐車場管理装置４００から取得された情報に基づいて、自車両Ｍを駐車スペース（駐車枠）内に駐車させる。図３は、実施形態に係る自走駐車イベントが実行される場面を模式的に示す図である。道路Ｒｄから訪問先施設に至るまでの経路には、ゲート３００−ｉｎおよび３００−ｏｕｔが設けられている。自車両Ｍは、手動運転または自動運転によって、ゲート３００−ｉｎを通過して停止エリア３１０まで進行する。停止エリア３１０は、訪問先施設に接続されている乗降エリア３２０に面している。乗降エリア３２０には、雨や雪を避けるための庇が設けられている。
【００５３】
自車両Ｍは、停止エリア３１０で乗員を降ろした後、自動運転を行い、駐車場ＰＡ内の駐車スペースＰＳまで移動する自走駐車イベントを開始する。自走駐車イベントの開始トリガは、例えば、乗員による何らかの操作であってもよいし、駐車場管理装置４００から無線により所定の信号を受信したことであってもよい。自走駐車制御部１４２は、自走駐車イベントを開始する場合、通信装置２０を制御して駐車リクエストを駐車場管理装置４００に向けて発信する。そして、自車両Ｍは、停止エリア３１０から駐車場ＰＡまで、駐車場管理装置４００の誘導に従って、或いは自力でセンシングしながら移動する。
【００５４】
図４は、実施形態に係る駐車場管理装置４００の構成の一例を示す図である。駐車場管理装置４００は、例えば、通信部４１０と、制御部４２０と、記憶部４３０とを備える。記憶部４３０には、駐車場地図情報４３２、駐車スペース状態テーブル４３４などの情報が格納されている。
【００５５】
通信部４１０は、自車両Ｍやその他の車両（他車両）と無線により通信する。制御部４２０は、通信部４１０により取得された情報と、記憶部４３０に格納された情報とに基づいて、車両を駐車スペースＰＳに誘導する。駐車場地図情報４３２は、駐車場ＰＡの構造を幾何的に表した情報である。また、駐車場地図情報４３２は、駐車スペースＰＳごとの座標を含む。駐車スペース状態テーブル４３４は、例えば、駐車スペースＰＳの識別情報である駐車スペースＩＤに対して、空き状態であるか、満（駐車中）状態であるかを示す状態と、満状態である場合の駐車中の車両の識別情報である車両ＩＤとが対応付けられたものである。
【００５６】
制御部４２０は、通信部４１０が車両から駐車リクエストを受信すると、駐車スペース状態テーブル４３４を参照して状態が空き状態である駐車スペースＰＳを抽出し、抽出した駐車スペースＰＳの位置を駐車場地図情報４３２から取得し、取得した駐車スペースＰＳの位置までの好適な経路を通信部４１０を用いて車両に送信する。また、制御部４２０は、複数の車両の位置関係に基づいて、同時に同じ位置に車両が進行しないように、必要に応じて特定の車両に停止・徐行などを指示する。
【００５７】
経路を受信した車両（以下、自車両Ｍであるものとする）では、自走駐車制御部１４２が、経路に基づく目標軌道を生成する。また、目標となる駐車スペースＰＳが近づくと、駐車スペース認識部１３２が、駐車スペースＰＳを区画する駐車枠線などを認識し、駐車スペースＰＳの詳細な位置を認識して自走駐車制御部１４２に提供する。自走駐車制御部１４２は、これを受けて目標軌道を補正し、自車両Ｍを駐車スペースＰＳに駐車させる。
【００５８】
［自走迎車イベント−出庫時］
自走駐車制御部１４２および通信装置２０は、自車両Ｍが駐車中も動作状態を維持している。自走駐車制御部１４２は、例えば、通信装置２０が乗員の保有する端末装置から迎車リクエストを受信した場合、自車両Ｍのシステムを起動させ、自車両Ｍを停止エリア３１０まで移動させる。この際に、自走駐車制御部１４２は、通信装置２０を制御して駐車場管理装置４００に発進リクエストを送信する。駐車場管理装置４００の制御部４２０は、入庫時と同様に、複数の車両の位置関係に基づいて、同時に同じ位置に車両が進行しないように、必要に応じて特定の車両に停止・徐行などを指示する。停止エリア３１０まで自車両Ｍを移動させて乗員を乗せると自走駐車制御部１４２は動作を停止し、以降は手動運転、或いは別の機能部による自動運転が開始される。
【００５９】
なお、上記の説明に限らず、自走駐車制御部１４２は、通信に依らず、カメラ１０、レーダ装置１２、ファインダ１４、または物体認識装置１６による検出結果に基づいて空き状態の駐車スペースを自ら発見し、発見した駐車スペース内に自車両Ｍを駐車させてもよい。
【００６０】
［自走駐車イベント−入庫時の動作フロー］
上記のような自走駐車イベントの入庫時の動作について説明する。図５は、実施形態に係る自動運転制御装置１００の自走駐車イベントの入庫時の動作フローの一例を示す図である。図５に示す動作フローは、例えば、自車両Ｍにより送信された駐車リクエストを駐車場管理装置４００が受信し、記憶部４３０に格納された駐車スペース状態テーブル４３４の情報に基づいて駐車スペースＰＳを決定し、決定した駐車スペースＰＳの位置までの好適な経路に関する情報を自車両Ｍに送信し、自車両Ｍがこの経路に関する情報を受信したときに開始される。
【００６１】
まず、自動運転制御装置１００の自走駐車制御部１４２は、駐車場管理装置４００から受信した経路情報に基づき、自車両Ｍの駐車スペースＰＳへの移動制御を開始する（ステップＳ１０１）。
【００６２】
次に、自走駐車制御部１４２は、駐車場管理装置４００から受信した経路情報と、駐車スペース付近に設けられた駐車スペースの識別情報（例えば、駐車スペースの駐車枠の周囲の通路上に設けられた識別コード）とに基づいて、自車両Ｍが駐車スペースＰＳ（駐車スペースＰＳの駐車枠内への駐車動作を開始可能な位置）までの移動を完了したか否かを判定する（ステップＳ１０３）。なお、自走駐車制御部１４２は、駐車場管理装置４００から受信した経路情報と、ナビゲーション装置５０から入力された自車両Ｍの位置情報とに基づいて、自車両Ｍが駐車スペースＰＳまでの移動を完了したか否かを判定してもよい。
【００６３】
自走駐車制御部１４２は、自車両Ｍの駐車スペースＰＳまでの移動が完了していないと判定した場合、同判定を継続する。一方、自走駐車制御部１４２により自車両Ｍの駐車スペースＰＳまでの移動が完了したと判定された場合、駐車スペース認識部１３２が、駐車スペースＰＳを区画する駐車枠の枠線の認識処理を開始するとともに、周辺車両認識部１３４が、自車両Ｍが自動駐車する駐車スペースＰＳに隣接する駐車スペースに停止している周辺車両（他車両）の認識処理を開始する（ステップＳ１０５）。なお、これらの駐車スペース認識部１３２および周辺車両認識部１３４による認識処理は、自車両Ｍの駐車枠内に停止し、駐車動作が完了するまで継続されてよい。
【００６４】
駐車スペース認識部１３２は、カメラ１０、レーダ装置１２、およびファインダ１４から物体認識装置１６を介して入力された情報に基づいて、駐車スペースＰＳを区画する駐車枠の枠線の認識処理を行う。また、周辺車両認識部１３４は、カメラ１０、レーダ装置１２、およびファインダ１４から物体認識装置１６を介して入力された情報に基づいて、駐車スペースＰＳに隣接する駐車スペースに停止している車両の認識処理を行う。
【００６５】
図６は、実施形態に係る自車両Ｍが駐車スペースＰＳまでの移動を完了した様子を示す図である。図６に示すように、自走駐車制御部１４２は、自車両Ｍが駐車スペースＰＳまでの移動を完了したと判定した場合、駐車スペースＰＳを区画する駐車枠Ｌ内への自動駐車を開始する。ここで、駐車スペース認識部１３２は、駐車スペースＰＳを区画する駐車枠Ｌの枠線の認識処理を行う。また、周辺車両認識部１３４は、駐車スペースＰＳに隣接する駐車スペース（例えば、駐車スペースＰＳ１）に停止している他車両（例えば、他車両ｍ１）の認識処理を行う。
【００６６】
次に、駐車スペース認識部１３２は、駐車スペースＰＳを区画する駐車枠Ｌの枠線を認識できたか否かを判定する（ステップＳ１０７）。駐車スペース付近における環境が枠線の認識に適している場合（例えば、日中、天気が良い場合など明るさが十分であり、雨、雪など降っておらず枠線とその他の部分との識別が可能である場合など）、駐車スペース認識部１３２は、カメラ１０により撮像された画像などの情報に基づいて、駐車枠Ｌの枠線を認識することができる。駐車スペース認識部１３２により駐車枠Ｌの枠線が認識されたと判定された場合、自走駐車制御部１４２は、この認識された駐車枠Ｌの枠線の位置情報に基づいて、自車両Ｍを駐車枠Ｌ内に移動させる自動駐車制御を行う（ステップＳ１１９）。これにより、自車両Ｍの駐車枠Ｌ内への自動駐車が完了し、本フローチャートの処理が終了する。
【００６７】
一方、駐車スペース付近における環境が枠線の認識に適していない場合（例えば、日没後、悪天候時、屋内駐車場への駐車時など明るさが不十分であり、枠線とその他の部分との識別が不可能である場合など）、カメラ１０により撮像された画像において駐車枠Ｌとその他の部分との境界（輝度差）が明確にならず、駐車スペース認識部１３２が、駐車枠Ｌの枠線を認識することができない場合がある。また、駐車スペース付近の明るさが十分であっても、逆光などの影響により、カメラ１０により撮像された画像において駐車枠Ｌとその他の部分との境界が明確にならず、駐車スペース認識部１３２が、駐車枠Ｌの枠線を認識することができない場合がある。このように、駐車スペース認識部１３２により駐車枠Ｌが認識されないと判定された場合、要求部１４４は、周辺車両認識部１３４により認識された駐車スペースＰＳに隣接する駐車スペースに停止している他車両に対して、枠線情報を要求する枠線情報リクエストを送信する（ステップＳ１０９）。
【００６８】
「枠線情報」とは、駐車枠Ｌの枠線の位置を示す情報である。例えば、枠線情報は、車両の停止位置と駐車枠Ｌの枠線の位置との間の距離を示す。枠線情報は、車両に搭載された記憶装置（図示しない）に記憶されている。図７は、実施形態に係る枠線情報を説明する図である。図７に示すように、枠線情報は、車両の停止位置（例えば、停止中の車両の前端部）と、車両の前方に位置する駐車枠Ｌの枠線の位置との距離（前方マージン距離Ｄｆ）、車両の停止位置（例えば、停止中の車両の右端部）と、車両の右方に位置する駐車枠Ｌの枠線の位置との距離（右方マージン距離Ｄｒ）、車両の停止位置（例えば、停止中の車両の左端部）と、車両の左方に位置する駐車枠Ｌの枠線の位置との距離（左方マージン距離Ｄｌ）、および車両の停止位置（例えば、停止中の車両の後端部）と、車両の後方に位置する駐車枠線の位置との距離（後方マージン距離Ｄｂ）を示す情報を含んでいる。
【００６９】
図８は、実施形態に係る枠線情報ＭＤの一例を示す図である。図８に示すように、枠線情報ＭＤは、停止中の駐車スペースを識別する情報と、前方マージン距離Ｄｆ、右方マージン距離Ｄｒ、左方マージン距離Ｄｌ、および後方マージン距離Ｄｂと、が対応付けられて記憶装置に記憶されている。自車両Ｍの要求部１４４は、駐車スペースＰＳに隣接する駐車スペースＰＳ１に停止している他車両ｍ１に対して、枠線情報ＭＤを要求する枠線情報リクエストを送信する。この枠線情報リクエストに応じて、他車両ｍ１は、該他車両に搭載された記憶装置に記憶されている枠線情報ＭＤを自車両Ｍに送信する。枠線情報ＭＤは、他車両ｍ１が自動駐車を行ったときに他車両ｍ１に搭載されたカメラ（センサ）により撮像された画像に基づいて算出され、記憶装置に記憶されたものであってもよいし、或いは、自車両Ｍから枠線情報リクエストを受信したときに起動された他車両ｍ１のカメラにより撮像された画像に基づいて算出されたものであってもよい。
【００７０】
次に、自車両Ｍの取得部１４６は、他車両ｍ１から枠線情報ＭＤが取得されたか否かを判定する（ステップＳ１１１）。取得部１４６により枠線情報ＭＤが取得されたと判定された場合、算出部１４８は、枠線情報ＭＤと、周辺車両認識部１３４により認識された他車両ｍ１の位置情報とに基づいて、駐車枠Ｌの枠線の位置を算出する（ステップＳ１１３）。
【００７１】
図９は、実施形態に係る算出部１４８による駐車枠Ｌの枠線の位置の算出処理の一例を説明する図である。図９に示す例は、他車両ｍ１の左方マージン距離Ｄｌが３０ｃｍであり、周辺車両認識部１３４により認識された他車両ｍ１の位置情報に基づいて算出された自車両Ｍの右端部と他車両ｍ１の左端部との間の距離ＤＤ１が７０ｃｍである場合を示している。この場合、算出部１４８は、枠線Ｌｒ（駐車枠Ｌの長さ方向の２つの枠線のうち、駐車スペースＰＳと駐車スペースＰＳ１との間を区画する枠線）の位置を、距離ＤＤ１（７０ｃｍ）から、他車両ｍ１の左方マージン距離Ｄｌ（３０ｃｍ）を減算した位置（すなわち、自車両Ｍの右端部から４０ｃｍ離れた位置）と算出する。なお、この例では、枠線Ｌｒは、駐車スペースＰＳの駐車枠Ｌの枠線の一部を構成しているとともに、駐車スペースＰＳ１の駐車枠の枠線の一部も構成している。
【００７２】
図１０は、実施形態に係る算出部１４８による駐車枠Ｌの枠線の位置の算出処理の他の例を説明する図である。図１０に示す例は、他車両ｍ１の後方マージン距離Ｄｂが４０ｃｍであり、周辺車両認識部１３４により認識された他車両ｍ１の位置情報に基づいて算出された自車両Ｍの後端部と他車両ｍ１の後端部との間の距離ＤＤ２が３０ｃｍである場合を示している。この場合、算出部１４８は、枠線Ｌｂ（駐車枠Ｌの幅方向の２つの枠線のうち、駐車スペースＰＳの終端を区画する線）の位置を、距離ＤＤ２（３０ｃｍ）と、他車両ｍ１の後方マージン距離Ｄｂ（４０ｃｍ）とを加算した位置（すなわち、自車両Ｍの後端部から７０ｃｍ離れた位置）と算出する。
【００７３】
図１１は、実施形態に係る算出部１４８による駐車枠Ｌの枠線の位置の算出処理の他の例を説明する図である。図１１に示す例は、自車両Ｍが自動駐車する駐車スペースＰＳの両隣の駐車スペースＰＳ１および駐車スペースＰＳ２の両方に、他車両（他車両ｍ１、他車両ｍ２）が停止している場合を示している。この場合、算出部１４８は、駐車スペースＰＳ１に停止している他車両ｍ１から取得された枠線情報ＭＤと、周辺車両認識部１３４により認識された他車両ｍ１の位置情報とに基づいて、枠線Ｌｒの位置を算出する。また、算出部１４８は、駐車スペースＰＳ２に停止している他車両ｍ２から取得された枠線情報ＭＤと、周辺車両認識部１３４により認識された他車両ｍ２の位置情報とに基づいて、枠線Ｌｌ（駐車枠Ｌの長さ方向の２つの枠線のうち、駐車スペースＰＳと駐車スペースＰＳ２との間を区画する枠線）の位置を算出する。なお、算出部１４８は、駐車スペースＰＳの幅方向の長さに関する情報を予め取得している場合、この駐車スペースＰＳの幅方向の長さと、算出された枠線Ｌｒの位置とに基づいて、枠線Ｌｌの位置を算出してもよい。また、算出部１４８は、この駐車スペースＰＳの幅方向の長さと、算出された枠線Ｌｌの位置とに基づいて、枠線Ｌｒの位置を算出してもよい。
【００７４】
図５に戻り、次に、自走駐車制御部１４２は、算出部１４８により算出された駐車枠Ｌの枠線の位置に基づいて、自動駐車の制御を行う（ステップＳ１１５）。例えば、図９に示す例では、枠線Ｌｒが自車両Ｍの右端部から４０ｃｍの位置にあると算出され、自車両Ｍの車幅方向の中央位置が、駐車スペースＰＳの幅方向の中央位置よりも、やや左方向にずれていることが推定される。この場合、自走駐車制御部１４２は、自車両Ｍの車幅方向の中央位置が、駐車スペースＰＳの幅方向の中央位置に近付くように、自動駐車の制御を行う。これにより、自車両Ｍを、駐車枠Ｌ内の適当な位置に停止させることができる。
【００７５】
一方、自車両Ｍと、他車両との間の通信が適正に行われない場合や、他車両が枠線情報ＭＤを記憶していない場合など、取得部１４６が、他車両から枠線情報ＭＤを取得できない場合がある。他車両が枠線情報ＭＤを記憶していない場合には、当該他車両が自動駐車を行ったときに、駐車枠の枠線を認識することができなかったケースなどが含まれる。このように、取得部１４６により枠線情報ＭＤが取得されないと判定された場合（ステップＳ１１１）、自走駐車制御部１４２は、駐車スペースを変更し、変更後の駐車スペースに対して自動駐車の制御を行う。この場合、自走駐車制御部１４２は、駐車場管理装置４００に対して駐車スペースの変更を要求するリクエストを送信し、駐車場管理装置４００から変更後の駐車スペースに関する情報を取得し、変更後の駐車スペースに対して自動駐車の制御を行う。或いは、取得部１４６により枠線情報ＭＤが取得されないと判定された場合（ステップＳ１１１）、自走駐車制御部１４２は、自車両Ｍの車幅方向の中央位置が、駐車スペースＰＳの幅方向の中央位置と重なるように自動駐車の制御（簡易自動駐車制御）を行う（ステップＳ１１７）。この場合、自車両Ｍの車幅方向の中央位置と、駐車スペースＰＳの幅方向の中央位置とが完全に一致する必要は無く、両者の位置の差が所定の閾値以内となればよい。以上により、本フローチャートの処理が終了する。
【００７６】
なお、上記の実施形態においては、自車両Ｍに搭載された算出部１４８が、他車両から取得した枠線情報ＭＤと、自車両Ｍに搭載された周辺車両認識部１３４により認識された他車両の位置情報とに基づいて、駐車枠Ｌの枠線の位置を算出する例を説明したがこれに限られない。例えば、他車両側で自車両Ｍの位置を認識し、この認識された自車両Ｍの位置と、他車両内に記憶されている枠線情報ＭＤとに基づいて、自車両Ｍが自動駐車する駐車枠Ｌの枠線の位置（例えば、自車両Ｍと駐車枠Ｌの枠線との相対距離など）を算出してもよい。自車両Ｍは、この他車両により算出された駐車枠Ｌの位置を取得し、自動駐車の制御を行うようにしてもよい。
【００７７】
また、自車両Ｍの自動運転制御装置１００が、駐車スペースＰＳに隣接する駐車スペースに停止している他車両に対して、他車両の下部を照らすライト（例えば、駐車スペースＰＳ側の足元を照らす足元ライト）を動作させる（ＯＮする）ことを要求するリクエストを送信する要求部（第２要求部）をさらに備えるようにしてもよい。図１２は、実施形態に係る他車両の下部を照らす足元ライトが動作された様子を示す図である。これにより、自車両Ｍの駐車スペース認識部１３２による駐車枠Ｌの枠線の認識が可能になる。
【００７８】
また、自車両Ｍは、他車両から取得した枠線情報ＭＤを、駐車場管理装置４００に送信するようにしてもよい。駐車場管理装置４００は、受信した枠線情報ＭＤに基づいて、駐車枠に誘導する車両を選別するようにしてもよい。例えば、駐車場管理装置４００は、枠線情報ＭＤに基づいて駐車可能空間が狭いことが判明した駐車スペースに対しては、小型の車両を誘導し、駐車可能空間が広いことが判明した駐車スペースに対しては、大型の車両を誘導するように制御してよい。
【００７９】
また、上記の実施形態においては、自車両Ｍが、自動駐車する駐車スペースＰＳと隣り合う駐車スペースに停止している他車両から枠線情報ＭＤを取得する例をしたがこれに限られない。例えば、図１３に示すように、駐車スペースＰＳに隣接する駐車スペースＰＳ１に停止している他車両ではなく、駐車スペースＰＳ１に隣接する駐車スペースＰＳ３に停止している他車両ｍ３から枠線情報ＭＤを取得するようにしてもよい。すなわち、本願明細書において、駐車スペースＰＳに隣接する駐車スペースとは、駐車スペースＰＳと隣り合う（すぐ隣の）駐車スペースだけでなく、両者の間に１以上の駐車スペースを含んでいる場合も含む。
【００８０】
この場合、算出部１４８は、駐車スペースＰＳ３に停止している他車両ｍ３から取得した枠線情報ＭＤ（図１３の例では、左方マージン距離Ｄｌ）と、予め取得された駐車スペースＰＳ１の幅方向の長さＤｗとを加算し、この加算値と、周辺車両認識部１３４により認識された他車両ｍ３の位置情報（自車両Ｍの右端部と、他車両ｍ３の左端部との間の距離ＤＤ４）とに基づいて、枠線Ｌｒの位置を算出するようにしてよい。例えば、算出部１４８は、ＤＤ４から、上記の加算値を減算することにより、枠線Ｌｒの位置を算出してよい。
【００８１】
以上説明した実施形態によれば、自動バレーパーキングの自動駐車処理において、駐車枠を認識することができない場合であっても正確な駐車制御を行うことができる。
【００８２】
［ハードウェア構成］
図１４は、実施形態の自動運転制御装置１００のハードウェア構成の一例を示す図である。図示するように、自動運転制御装置１００（コンピュータ）は、通信コントローラ１００−１、ＣＰＵ１００−２、ワーキングメモリとして使用されるＲＡＭ（Random Access Memory）１００−３、ブートプログラムなどを格納するＲＯＭ（Read Only Memory）１００−４、フラッシュメモリやＨＤＤ（Hard Disk Drive）などの記憶装置１００−５、ドライブ装置１００−６などが、内部バスあるいは専用通信線によって相互に接続された構成となっている。通信コントローラ１００−１は、自動運転制御装置１００以外の構成要素との通信を行う。記憶装置１００−５には、ＣＰＵ１００−２が実行するプログラム１００−５ａが格納されている。このプログラムは、ＤＭＡ（Direct Memory Access）コントローラ（不図示）などによってＲＡＭ１００−３に展開されて、ＣＰＵ１００−２によって実行される。これによって、第１制御部１２０および第２制御部１６０のうち一部または全部が実現される。
【００８３】
上記説明した実施形態は、以下のように表現することができる。
プログラムを記憶した記憶装置と、
ハードウェアプロセッサと、を備える車両に搭載される車両制御装置であって、
前記ハードウェアプロセッサが前記記憶装置に記憶されたプログラムを実行することにより、
前記車両が自動駐車する第１駐車枠に隣接する第２駐車枠に停止している他車両から、前記第２駐車枠の枠線の位置情報を取得し、
取得された前記第２駐車枠の枠線の位置情報に基づいて、前記第１駐車枠の枠線の位置を算出する、
ように構成されている、車両制御装置。
【００８４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００８５】
１‥車両システム、１００‥自動運転制御装置、１２０‥第１制御部、１３０‥認識部、１３２‥駐車スペース認識部、１３４‥周辺車両認識部、１４０‥行動計画生成部、１４２‥自走駐車制御部、１４４‥要求部、１４６‥取得部、１４８‥算出部、１６０‥第２制御部、４００‥駐車場管理装置、４１０‥通信部、４２０‥制御部、４３０‥記憶部
【図１】
2020185855.tif 000003
【図２】
2020185855.tif 000004
【図３】
2020185855.tif 000005
【図４】
2020185855.tif 000006
【図５】
2020185855.tif 000007
【図６】
2020185855.tif 000008
【図７】
2020185855.tif 000009
【図８】
2020185855.tif 000010
【図９】
2020185855.tif 000011
【図１０】
2020185855.tif 000012
【図１１】
2020185855.tif 000013
【図１２】
2020185855.tif 000014
【図１３】
2020185855.tif 000015
【図１４】
2020185855.tif 000016